Podtech/llm-jp-corpus-v4-ja_patent huggingface dataset:
(57)【要約】      （修正有）【課題】簡単な構成においてパレットへの取り付けが所定位置に安定して行われるパレット用パイプ取り付け具を提供する。【解決手段】パイプ装着筒５とパレットＰの角部に設けられた取り付け穴１３への差し入れ取り付け片９とが一体に設けられたパレット用パイプ取り付け具１において、差し入れ取り付け片９の下面に、パレットＰの一部に係止する係止部１１が設けられてなる。【選択図】図１
0003155023.tif 000002
【実用新案登録請求の範囲】
【請求項１】
パイプ装着筒とパレットの角部に設けられた取り付け穴への差し入れ取り付け片とが一体に設けられたパレット用パイプ取り付け具において、
前記差し入れ取り付け片の下面に、前記パレットの一部に係止する係止部が設けられてなることを特徴とするパレット用パイプ取り付け具。
【請求項２】
鉄製である請求項１記載のパレット用パイプ取り付け具。
【考案の詳細な説明】
【技術分野】
【０００１】  この考案は、パレット用パイプ取り付け具の改良に関する。
【背景技術】
【０００２】  物品の収納や移動のために工場や倉庫においてパレットが汎用されている。このようなパレットは、必要に応じその上部に物品を安定収納できるスペースを確保するようにパイプよりなる支持体を設ける場合がある（図２参照）。パレットへの支持体の取り付けは現場で行われ、まず、パレットの角部それぞれにパレット用パイプ取り付け具それぞれを取り付け、それらのパイプ装着筒に支持体のパイプ端それぞれを嵌め入れることで行っている。
【考案の開示】
【考案が解決しようとする課題】
【０００３】  しかしながら、現状においてはパレットの角部へのパレット用パイプ取り付け具の取り付けが所定位置に安定して行われず、支持体のパイプの嵌め入れに手間がかかり、また、支持体が取り付けられたパレットがリフト搬送される際には支持体のガタつきが大きかった。とくに、空状態のパレットが搬送される際にそのガタつきが大きくなり、パレットからパレット用パイプ取り付け具が離脱して支持体も外れてしまう場合があった。【０００４】  この考案は上記の点に鑑みて行ったもので、簡単な構成においてパレットへのパレット用パイプ取り付け具の取り付けが所定位置に安定して行われるようにすることを目的とする。
【課題を解決するための手段】
【０００５】  この考案では、パイプ装着筒とパレットの角部に設けられた取り付け穴への差し入れ取り付け片とが一体に設けられたパレット用パイプ取り付け具において、前記差し入れ取り付け片の下面に、前記パレットの一部に係止する係止部が設けられてなることを特徴とするパレット用パイプ取り付け具を提供する。【０００６】  この考案の構成によれば、差し入れ取り付け片の下面の係止部がパレットの一部に係止することで、パレット用パイプ取り付け具は取り付け穴内の所定位置に安定して取り付けられ、かつ、引き出し方向に力がかかった場合にも引き出されることはない。パレット用パイプ取り付け具は、パイプ装着筒と差し入れ取り付け片とが一体に設けられた構成であれば適宜の形態であってよく、その係止部も係止機能を発揮すれば適宜の形態であってよい。また、パレット用パイプ取り付け具は、鉄製とされて重量を持つことで係止部によるさらに安定した係止機能を発揮する。また、パレットは通常プラスチックス製とされるが、木製のものであってもよい。
【考案の効果】
【０００７】  この考案によれば、簡単な構成においてパレットへのパレット用パイプ取り付け具の取り付けが所定位置に安定して行われるようになり、これにより、パレット上へのパイプ製支持体の取り付けが安定して行われるようになる。
【考案を実施するための形態】
【０００８】  図１はこの考案のパレット用パイプ取り付け具の斜視図である。パレット用パイプ取り付け具１は全体が鉄製であり、折り曲げ加工により形成された平面形状コ字型の基体３の一方側面に有底のパイプ装着筒５が溶接固定されている。基体３にはその連続する方向に２本の補強用リブ７のそれぞれが形成されており、基体３のパイプ装着筒５が固定されていない側が差し入れ取り付け片９となり、その下面は後部１０において一段高くなってその前端の段部面が係止部１１となっている。
【０００９】  上記パレット用パイプ取り付け具１のパレット角部への取り付けは、パレットＰの角部に設けられた取り付け穴１３に差し入れ取り付け片９が差し入れられることで行われる。
図２、図３はパレットＰにパレット用パイプ取り付け具１及びパイプ製の支持体１５の取り付けられた状態を示す。
【００１０】  取り付け穴１３に差し入れ取り付け片９が十分に差し入れられると、下面の後部１０が取り付け穴１３奥部に形成された開口１４内に自重により落ち込み、これにより係止部１１が開口１４の前縁に係止する。これにより、パレット用パイプ取り付け具１は取り付け穴１３内の所定位置に安定して取り付けられ、かつ、引き出し方向に力がかかった場合にも係止部１１が開口１４前縁に係止していることで引き出されることはない。そのように取り付けられたパレット用パイプ取り付け具１それぞれのパイプ装着筒５それぞれにパイプ端１６それぞれが嵌め入れ装着されることで支持体１５が取り付けられる。支持体１５もパレット用パイプ取り付け具１が安定して取り付けられていることでパレットＰに安定して取り付けられ、かつ、パレットＰから外れることもない
【００１１】  図４、図５は他の実施形態を示す。図４に示すパレット用パイプ取り付け具１では、差し入れ取り付け片９の下面に傾斜部２０を設けることで係止部１１を設けている。図５に示すパレット用パイプ取り付け具１では、差し入れ取り付け片９の下面に突出部２２を設けることで係止部１１を設けている。
【図面の簡単な説明】
【００１２】
【図１】  この考案のパレット用パイプ取り付け具の実施形態の斜視図
【図２】  この考案のパレット用パイプ取り付け具の実施形態の使用状態の斜視図
【図３】  この考案のパレット用パイプ取り付け具の実施形態の使用状態の要部拡大断面図
【図４】  この考案のパレット用パイプ取り付け具の他の実施形態の斜視図
【図５】  この考案のパレット用パイプ取り付け具のさらに他の実施形態の斜視図
【符号の説明】
【００１３】１    パレット用パイプ取り付け具
５    パイプ装着筒
９    差し入れ取り付け片
１１  係止部
１３  差し入れ穴
Ｐ    パレット
【図１】
0003155023.tif 000003
【図２】
0003155023.tif 000004
【図３】
0003155023.tif 000005
【図４】
0003155023.tif 000006
【図５】
0003155023.tif 000007
(57)【要約】      （修正有）【課題】医者からもらった薬や市販の薬を、患者が指示通りに服用したか、あるいは点眼薬や点鼻薬をきちんとしたかどうかを簡単に確認し、チェックできるようにした薬用シールを提供する。【解決手段】薬の薬袋あるいは、薬瓶容器等に、台紙１ａの上に不透明媒体よりなるスライド用の紙片１ｂを組み合わせ、上部スライド部１ｂを移動させることにより各識別部分１のそれぞれの位置に固定される。各位置は色別あるいは文字にて区別してあるので、上部スライド部の角穴１にて確認できる。また、その区別は任意で使い分けでき、ふたたび上部スライド部の移動にて、速やかに次の時間帯での指示に変更できるようにして薬用シールを構成する。【選択図】図１
0003155006.tif 000002
【実用新案登録請求の範囲】
【請求項１】
薬の薬袋あるいは、薬瓶容器等に、台紙（１ａ）の上にスライド用の紙片、不透明媒体（１ｂ）の組み合わせにおいて、上部スライド部を移動させることにより各識別部分（１）のそれぞれの位置に固定される、各位置は色別あるいは文字にて区別してあるので、上部スライド部の角穴（５）にて確認できる、また、その区別は任意で使い分けでき、ふたたび上部スライド部の移動にて、速やかに次の時間帯への指示と指定ができるようにした薬用シール。
【考案の詳細な説明】
【技術分野】
【０００１】本願考案は、液状あるいは粉末状その他の内服薬を、数日間にわたって間違いなく服用したのを確認することができるようにした薬用シールであり、服用したかどうかを、簡単に確認できるように、薬袋あるいは容器の表面に貼付するものである。
【背景技術】
【０００２】一日当たりの服用回数に応じて、薬を指示どうりに服用したか、どうかを正確に確認チェックする手段が施されてないのが現状である、従って、このような事態を回避するために、チェックできるような方法を考案したものである。
【先行技術文献】
【特許文献】
【０００３】
【特許文献１】特開平２００３−９７５５１０号  広報
【考案の概要】
【考案が解決しようとする課題】
【０００４】医療機関で投薬される薬にたいして、医者の指示通りに服用したか、どうかを簡単に確認でき、忙し過ぎて注意するのを怠ったりする人達や、物忘れがちだったりする人にとっても、薬の服用をチェックできるようにした薬用シールを提供することを目的とする。
【課題を解決するための手段】
【０００５】本願考案は、医療機関で投薬される薬にたいし、薬袋あるいは薬瓶容器の壁面に張付けたシールの上部を移動させることにより、識別判断として色別あるいは文字にて薬を服用したかどうかを、確認できるようにした薬用シールである。
【考案の効果】
【０００６】本願考案は、医療機関で投薬される薬の薬袋あるいは薬瓶容器の壁面に張付けたシール（図１−１ａ）において、患者が薬を服用する度に、シールの上部（図１−１ｂ）を移動させることにより、薬を医者の指示通りに服用したかどうかを、簡単にチェックすることができる。【０００７】そのうえ、低コストでの提供が可能なため、一度使用したシールは使い捨てができ、余計な手間がかからない。【０００８】また、識別部分を点字に変えることにより、目の不自由な患者にも確認することができるようにもなる。
【図面の簡単な説明】
【０００９】
【図１】本願考案の正面図である
【図２】本願考案の右側面図である
【図３】本願考案の下部の正面図である
【図４】本願考案の上部の正面図である
【図５】図４のｙ−ｙ断面図である
【図６】図３のｘ−ｘ断面図である
【符号の説明】
【００１０】  １ａ．下部台紙
１ｂ．上部スライド部
１．識別部分
２．折り曲げ部分
３．凸部分
４．凹部分
５．角穴部分
６．タブ部分
７．接着層
【図１】
0003155006.tif 000003
【図２】
0003155006.tif 000004
【図３】
0003155006.tif 000005
【図４】
0003155006.tif 000006
【図５】
0003155006.tif 000007
【図６】
0003155006.tif 000008
【手続補正書】
【提出日】平成21年6月26日(2009.6.26)
【手続補正１】
【補正対象書類名】明細書
【補正対象項目名】０００５
【補正方法】変更
【補正の内容】
【０００５】本願考案は、医療機関で投薬される薬にたいし、薬袋あるいは薬瓶容器の表面の見やすいところに貼り、貼る場所は使用する人の任意とし、下部台紙図３−１ａを貼付けたシールの表面に、上部スライド部図４−１ｂを上に乗せ、タブ部分図５−６を指または爪にて移動させることにより、識別判断として色別あるいは文字にて薬を服用したかどうかを、確認できるようにした薬用シールである。
【手続補正２】
【補正対象書類名】明細書
【補正対象項目名】０００６
【補正方法】変更
【補正の内容】
【０００６】本願考案は、医療機関で投薬される薬の薬袋あるいは薬瓶容器の表面に張付ける一体化した薬用シールが図１であり、患者が薬を服用する度に、上部スライド部図１−１ｂを指または爪にて移動させることにより、薬を医者の指示通りにまちがいなく服用したかどうかを、簡単にチェックすることができる。
【手続補正３】
【補正対象書類名】実用新案登録請求の範囲
【補正対象項目名】全文
【補正方法】変更
【補正の内容】
【実用新案登録請求の範囲】
【請求項１】
薬の薬袋あるいは、薬瓶容器等に、貼付けた台紙１ａの表面にスライド用の紙片、不透明媒体１ｂを上に乗せ、その上部スライド部のタブ部分図５−６を指あるいは爪にて移動させることにより、下部台紙１ａの凸部分図６−３ならびに上部スライド部１ｂの凹部分図５−４が各場所にて固定されるので、上部スライド部中央の角穴図４−５にて下部台紙のそれぞれの識別部分図３−１を確認することができる、また、その区別は任意で使い分けでき、ふたたび上部スライド部の移動にて、速やかに次の時間帯への指示と指定ができるようにした薬用シール。
【手続補正書】
【提出日】平成21年8月20日(2009.8.20)
【手続補正１】
【補正対象書類名】実用新案登録請求の範囲
【補正対象項目名】全文
【補正方法】変更
【補正の内容】
【実用新案登録請求の範囲】
【請求項１】
薬の薬袋あるいは、薬瓶容器等に、貼付けた台紙１ａの表面にスライド用の紙片、不透明媒体１ｂを上に乗せ、その上部スライド部のタブ部分６を指あるいは爪にて移動させることにより、下部台紙１ａの凸部分３ならびに上部スライド部１ｂの凹部分４が各場所にて固定されるので、上部スライド部中央の角穴５にて下部台紙のそれぞれの識別部分１を確認することができる、また、その区別は任意で使い分けでき、ふたたび上部スライド部の移動にて、速やかに次の時間帯への指示と指定ができるようにした薬用シール。
(57)【要約】      （修正有）【課題】高圧区分開閉器（ＰＡＳ）のＧＲ制御器の動作確認試験を、制御出力線を切り離すことなく、いつでも安全・簡単に行うことができるようにしたＧＲ試験補助装置を提供する。【解決手段】ＧＲ制御器トリップ信号出力１はＧＲ試験補助装置の信号入力２に接続、通常は「ＰＡＳ／試験」切り替えスイッチ３「ＰＡＳ」側を経て出力端子８より区分開閉器（ＰＡＳ）のトリップコイル９へ接続する。ＧＲ制御器の動作試験を行う場合は「ＰＡＳ／試験」切り替えスイッチ３を「試験」側にして制御器トリップ出力をＰＡＳから切り離し、ダミー抵抗Ｒ１：４へ接続する。これによりＧＲ試験器はＰＡＳに連動することなく制御器単体の動作試験を行うことが可能となる。月次点検等においてはＧＲ制御器のテストボタンを押して制御器の表示を確認するとともに、補助装置の動作表示ＬＥＤ６の点灯によりトリップ出力の電圧を確認することができる。【選択図】図１
0003155010.tif 000002
【実用新案登録請求の範囲】
【請求項１】
ＧＲ制御器の動作試験を、制御線を切り離すことなく安全・簡単に実施できる、ＧＲ制御器に付加する試験補助装置。
【考案の詳細な説明】
【技術分野】
【０００１】
本考案は、GR制御器の動作試験に関するものである。
【背景技術】
【０００２】
高圧区分開閉器（ＰＡＳ）のGR制御器において、年次点検等における制御器単体の動作試験は、区分開閉器のトリップ動作をさせないため、制御出力線をはずして行っている。この操作にあたっては、作業条件の悪い状況のなかで、制御線が他と接触しないように充分注意を払い、狭隘な制御端子板で制御線の取り外しおよび取付け作業を行っている。
【０００３】
月次点検等における制御器の動作確認は、制御電源や異常の表示確認のみに限られ、制御動作の確認は行われていない。その理由は過去において、制御線処理の作業途中で制御器を故障させるなどの事例が発生しているからである。
【０００４】
しかし、年次点検時に限らず夏期の襲雷時等においては、制御器の動作確認を行う必要があり、安全・簡単に動作点検ができる方法が望まれていた。
【先行技術文献】
【特許文献】
【０００５】
なし
【非特許文献】
【０００６】
【非特許文献１】責任分界点用  GR付高圧交流負荷開閉器  技術説明資料  （株）戸上電機製作所  ２０００年９月版
【考案の概要】
【考案が解決しようとする課題】
【０００７】
解決しようとする問題点は、GR制御装置の動作確認が安全・簡単にできない点である。
【課題を解決するための手段】
【０００８】
本考案は、GR制御装置のトリップ信号出力と区分開閉器（PAS）トリップ信号入力間に、簡単な試験補助装置を付加することにより、制御線の取り外し等を行うことなく、ＧＲ制御器の動作確認ができることを特徴とする。
【考案の効果】
【０００９】
本考案のGR試験補助装置により、GR制御器の動作確認をいつでも安全・簡単に行うことができる。
【図面の簡単な説明】
【００１０】
【図１】図１はGR試験補助装置を示した説明図である。（実施例１）
【考案を実施するための形態】
【００１１】
いつでも安全・簡単にGR制御器の動作確認を行うという目的を、簡単な補助装置を付加することで実現した。
【実施例１】
【００１２】
図１は、本考案装置の１実施例の回路図であって、１はGR制御器トリップ出力であり、９は区分開閉器（PAS）トリップコイル入力である。
【００１３】
GR制御器トリップ信号出力１はGR試験補助装置の信号入力２に接続、通常は「PAS／試験」切り替えスイッチ３「PAS」側を経て出力端子８より区分開閉器（PAS）のトリップコイル９へ接続される。
【００１４】
GR制御器の動作試験を行う場合は「PAS／試験」切り替えスイッチ３を「試験」側にして制御器トリップ出力をPASから切り離し、ダミー抵抗R１：４へ接続する。これによりGR試験器はPASに連動することなく制御器単体の動作試験を行うことが可能となる。月次点検等においてはＧＲ制御器のテストボタンを押して制御器の表示を確認するとともに、補助装置の動作表示ＬＥＤ６の点灯によりトリップ出力の電圧を確認することができる。
【００１５】
ＧＲ試験装置の動作時間測定についてはダミー抵抗Ｒ１：４の両端の電圧を、出力端子７よりＧＲ試験装置トリップ信号電圧入力に接続することで動作時間測定が可能となる。
【００１６】
また年次点検等においては、区分開閉器（ＰＡＳ）の内部絶縁環境の確認のため、制御線Ｖａ，ＶＣを制御器から切り離してトリップコイルの絶縁抵抗を測定していたが、本装置を使用することにより、制御線を切り離すことなく切り替えスイッチ３を「試験」の状態で、端子８の絶縁抵抗を測定することによってその目的は達せられる。
【符号の説明】
【００１７】
１    ＧＲ制御器トリップ信号出力端子（Ｖａ，Ｖｃ）
２    ＧＲ試験補助装置入力端子
３    「ＰＡＳ」側／「試験」側切り替えスイッチ
４    ダミー抵抗（２ｋΩ程度）
５    ＬＥＤ電流制限抵抗
６    動作表示用ＬＥＤ
７    ＧＲ試験装置測定用トリップ信号（電圧）出力端子
８    ＧＲ試験補助装置出力端子
９    区分開閉器（ＰＡＳ）トリップコイル入力端子（Ｖａ，Ｖｃ）
【図１】
0003155010.tif 000003
【手続補正書】
【提出日】平成21年8月24日(2009.8.24)
【手続補正１】
【補正対象書類名】実用新案登録請求の範囲
【補正対象項目名】全文
【補正方法】変更
【補正の内容】
【実用新案登録請求の範囲】
【請求項１】
区分開閉器のGR制御装置の試験において、開閉器トリップ信号を開閉器側とダミー抵抗側に切り替えるスイッチと、トリップ信号負荷としてのダミー抵抗および動作表示回路からなり、GR制御器トリップ信号出力と開閉器トリップ信号入力間に挿入して、切り替えスイッチをダミー抵抗側に切り替えることにより、GR制御器の試験を開閉器を動作させることなく可能とすることを特徴とするGR試験補助装置。
(57)【要約】      （修正有）【課題】いつもお湯が入っている電気ポットに電動給湯機能のスイッチ一つで蒸らし給湯と繰返し給湯を自動でさせる電動給湯付電気ポットを提供する。【解決手段】電動給湯付き電気ポットに通常給湯と当お好み給湯を選択するスイッチ、給湯する時間と給湯しない時間を設定するスイッチ、繰返し回数を設定するスイッチを、それぞれを操作部に配置する。【選択図】図１
0003155003.tif 000002
【実用新案登録請求の範囲】
【請求項１】
当登録請求の範囲は電気ポット、電気ジャーポット、電気まほうびん、電気ケトルなどの第１１類  家庭用電熱用品類。
【考案の詳細な説明】
【技術分野】
【０００１】電気ポットの電動給湯機能を制御する。
【背景技術】
【０００２】既存の電気ポットの電動給湯の単にお湯が注ぐ止めるだけの働きから、電動給湯機能を制御して蒸らし給湯と繰返し給湯を自動で出来るようにする。
【先行技術文献】
【特許文献】
【０００３】
【特許文献１】公開特許公報  特開  平２−２３４７２２
【特許文献２】公開特許公報  特開２００２−５１９１１
【特許文献３】特開２００６−１３０２４７
【考案の概要】
【考案が解決しようとする課題】電気ポットで蒸らし給湯と繰返し給湯を自動でさせる。蒸らし給湯とは、コーヒードリッパーのコーヒー粉が濡れる程度のお湯を垂らし次の繰返し給湯までそのままで２０秒間蒸らすことです。繰返し給湯とは、蒸らし給湯の後カップ一杯分になるまで３回に分けて繰返し給湯することです。
【課題を解決するための手段】電気ポットの電動給湯機能を制御する。
【考案の効果】ドリップコーヒーの正しい淹れ方は、蒸らし給湯と２〜３回の繰返し給湯です。いろいろなドリップコーヒーがあります、しかし一杯一杯毎回にお湯を沸かし正しいドリップコーヒーの淹れ方をするのは面倒なことです。電気ポットにはいつもお湯が入っています、また電動給湯機能はスイッチ一つで簡単に給湯したり止めたり出来ます。この電動給湯機能に制御し改善すると蒸らし給湯と繰返し給湯を自動で出来るようになり、手軽に本格的ドリップコーヒーを楽しむことが出来ます。なお、電動給湯機能の制御の組み合わせを調整することで二杯三杯分のドリップコーヒーを一度で抽出可能となります。
【図１】
0003155003.tif 000003
【手続補正書】
【提出日】平成21年8月2日(2009.8.2)
【手続補正１】
【補正対象書類名】実用新案登録請求の範囲
【補正対象項目名】全文
【補正方法】変更
【補正の内容】
【実用新案登録請求の範囲】
【請求項１】
電動給湯付き電気ポット
【手続補正２】
【補正対象書類名】明細書
【補正対象項目名】全文
【補正方法】変更
【補正の内容】
【考案の詳細な説明】
【技術分野】
【０００１】  電動給湯付き電気ポット
【背景技術】
【０００２】  給湯スイッチを手で給湯操作する従来の電動給湯付き電気ポット
【先行技術文献】
【特許文献】
【０００３】
【特許文献１】公開特許公報  特開  平２−２３４７２２
【特許文献２】公開特許公報  特開２００２−５１９１１
【特許文献３】特開２００６−１３０２４７
【考案の概要】
【考案が解決しようとする課題】
【０００４】  電動給湯付き電気ポットで給湯する止める、およびこの繰返し給湯の一連の操作を自動でさせ、お好みの給湯パターンが出来るようにする
【課題と解決するための手段】
【０００５】  電動給湯付き電気ポットの電動給湯部がお湯が出している時間、お湯を止めている時間、およびこの繰り返す回数を電子制御する
【考案の効果】
【０００６】  この電動給湯付き電気ポット当実用新案のお好み給湯により蒸らし給湯と繰返し給湯をさせると、手軽に本格的ドリップコーヒーを楽しむことが出来ます。  ドリップコーヒーの正しい淹れ方は、最初の蒸らし給湯とその後の繰返し給湯です。しかし毎回一杯一杯お湯を沸かし正しいドリップコーヒーの淹れ方をするのは面倒なことです。いつもお湯が入っている電動給湯付き電気ポットに当実用新案を使えばボタン一つで簡単にお好み給湯が出来ます。
【図面の簡単な説明】
【０００７】
【図１】  当実用新案のブロック図
【考案を実施するための形態】
【０００８】従来の電動給湯付き電気ポットに通常給湯と当お好み給湯を選択するスイッチ、給湯する時間と給湯しない時間を設定するスイッチ、繰返し回数を設定するスイッチを、それぞれを操作部に配置する。
【実地例】
【０００９】  当お好み給湯付き電気ポットがドリップコーヒーを入れている様子
【産業上の利用可能性】
【００１０】  成熟製品の電気ポットが本実用新案のお好み給湯が出来れば新しい需要が期待出来ます。
【符号の説明】
【００１１】１  電動給湯付き電気ポット本体
２  電動給湯付き電気ポット内部の電動給湯部
３  電動給湯付き電気ポット内部の電動給湯部の制御部
【手続補正３】
【補正対象書類名】図面
【補正対象項目名】図１
【補正方法】変更
【補正の内容】
【図１】
0003155003.tif 000004
(57)【要約】      （修正有）【課題】動箸を受箸に比べて、形は小さくかつ、重さは重くすることで、動箸をスムースに動かせ、且つ、料理を掴み易くした箸を提供する。【解決手段】一繕の箸は、受箸と動箸１とからなるもので、動箸１の長手方向を横断する少なくとも手で把持する部位の断面形状は、受箸の長手方向を横断する少なくとも手で把持する部位の断面形状より小さく形成されている。又動箸1の長手方向の長さである全長Ｌは、受箸の長手方向の長さである全長ｌの約０．８〜約０．９７とする。又動箸１の重量は受箸２の約１．０〜約１．２とする。【選択図】図１
0003155064.tif 000002
【実用新案登録請求の範囲】
【請求項１】
動箸と受箸とからなる一繕の箸であって、前記動箸の長手方向を横断する少なくとも手で把持する部位の断面形状を、前記受箸の長手方向を横断する少なくとも手で把持する部位の断面形状より、小さく形成することを特徴とする一繕の箸。
【請求項２】
動箸の長手方向の長さである全長Ｌを、受箸の長手方向の長さである全長lの約0.8      〜約0.97とすることを特徴とする請求項1記載の一繕の箸。
【請求項３】
動箸の重量を受箸の重量の約1.0〜約1.2とすることを特徴とする、請求項1又は請求項2記載の一繕の箸。
【考案の詳細な説明】
【技術分野】
【０００１】
本考案は、拇指・示指・還指で支えて動かす方の箸（以下「動箸」と称す）を、動かさずに動箸を受止める箸（以下「受箸」と称す）より、形を小さくし、重量を重く、する箸に関するものである。
【背景技術】
【０００２】
従来の箸は、動箸・受箸が同一の形状・重量のものを以って一繕として漫然提供してきた。
【先行技術文献】
【特許文献】
【０００３】
【特許文献１】実用思案登録第3129865号公報Ｕ
【考案の概要】
【考案が解決しようとする課題】
【０００４】
従来の同一の形状・重量のものだと、動箸の動きが鈍い・料理が掴み辛いものであった。
そこで、この考案は、動箸の動きをスムースに且つ料理を掴み易くした箸を提供することを課題とした。
【課題を解決するための手段】
【０００５】
本考案は、動箸を受箸との対比において、
形状の、長さを約0.8〜0.97・断面を約0.8〜約0.9と小さく、重量を約1.0〜約1.2として形成し課題の解決をする。
【考案の効果】
【０００６】
前記形体を箸使用者の習熟度に応じた設計と製造により提供し、動箸の機能が格段と向上し箸文化の発展に寄与する。
【図面の簡単な説明】
【０００７】
【図１】図１（a）は本考案の一実施例の正面図であり、図1（b）は図１（a）のイ−イ線による断面図である。
【図２】図2（a）は本考案の一実施例の正面図であり、図2（b）は図２（a）のロ−ロ線による断面図である。
【考案を実施するための形態】
【０００８】
本考案の実施形体を図1・2に示す。
動箸を受箸との対比長さ・断面を小さく、重量を同等〜重くして動箸の機能性を高めるものとする。
長さ・断面・表面積が異なるものの一対である為、相似形・外装で一体感をだす。
【実施例】
【０００９】
本考案の一実施例の一繕の箸を図面に基づいて説明する。
一繕の箸は、受箸2と動箸1とからなるもので、動箸1の長手方向を横断する少なくとも手で把持する部位の断面形状は、受箸2の長手方向を横断する少なくとも手で把持する部位の断面形状より小さく形成されている。[図1（b）、図2（b）参照] 
又動箸1の長手方向の長さである全長Ｌは、受箸2の長手方向の長さである全長ｌの約0.8〜約0.97となっている。
又動箸1の重量は受箸2の約1.0〜約1.2となっている。
【産業上の利用可能性】
【００１０】
本考案が評価されることにより、細工の分野が活性化される。
【符号の説明】
【００１１】
1      動箸
L      長手方向の長さ全長
イ〜イ   把持部
（a）    正面図
（b）    把持部断面
2      受箸
l      長手方向の長さ全長
ロ〜ロ   把持部
【図１】
0003155064.tif 000003
【図２】
0003155064.tif 000004
(57)【要約】      （修正有）【課題】自己の手で文字や数字を記入することで、常に注視することが可能であり、自己の管理のもとで資金のコントロ−ルを促すために、欄と枠を利用し、瞬時に判るようにした公営競技専用手帳を提供する。【解決手段】手帳の中身とする用紙Ａに、公営競技の馬券等の購入資金の収支のバランスが一目でわかることで、自己管理ができるように、公営競技場名、日付、公営競技結果の内容、金銭の収支内容、収支の累計等それぞれの項目別に記入できる枠Ｃを設ける。この中身用紙を手帳様式とするための表紙Ｂを重ね合わせて公営競技専用手帳を構成する。【選択図】図２
0003155032.tif 000002
【実用新案登録請求の範囲】
【請求項１】
公営競技の過去の実績の内容を、競艇、競輪、中央競馬、地方競馬等の各競技の種目別に記入できるように、種目表示、開催の日時表示、成績結果の項目表示等の枠を設け一覧表として記入できる手帳様式にした公営競技専用手帳。
【請求項２】
各公営競技の過去の実績を参照とするために、競技結果の成績、競技結果の状況内容の枠を設け一覧表として記入できる手帳様式にした公営競技専用手帳。
【請求項３】
公営競技は、常に自己資金の把握が必要とするため、収支の内容を自己管理するための金銭収支を支出と収入と残高に区分した枠を設け一覧表として手帳様式にした公営競技専用手帳。
【考案の詳細な説明】
【技術の分野】
【０００１】    公営競技の実績や成績結果を自己記入とし、一覧表としたことで、一目でわかり易くした手帳様式にした公営競技専用手帳。
【背景技術】
【０００２】    公営競技の資金は、収支のバランスを知り自己管理のもとで、無駄な資金を使わないと自覚するための手帳として活用する目的の公営競技専用手帳。
【考案を解決しようとする課題】
【０００３】    公営競技の馬券等の購入資金は、自己の小遣い範囲内での資金とすることが大切で、無理な資金での馬券等の購入をしないためと自己管理での自覚を促すために、収支状況が瞬時に判るようにする公営競技専用手帳。
【課題を解決するための手段】
【０００４】    自己の小遣い範囲内の資金での馬券等の購入をと自覚するための手段は、自己の手で文字や数字を記入することで、常に注視することが可能であり、自己の管理のもとで資金のコントロ−ルを促すために、欄と枠を利用し、瞬時に判るようにした公営競技専用手帳。
【考案の効果】
【０００５】    馬券等の購入資金の収支のバランスを知ることで、無理なく楽しみながらの馬券等の購入ができる公営競技専用手帳。
【０００６】    馬券の購入のための借入を自覚し借入を防ぐための公営競技専用手帳。
【考案を実施するための最良の形態】
【０００７】    手帳の中身とする用紙（Ａ）に、公営競技場名、日付、公営競技結果の内容、金銭の収支内容、収支の累計等それぞれの項目別に記入できる枠（Ｃ）を設けこの中身用紙と手帳様式とするための表紙（Ｂ）を重ね合わせた公営競技専用手帳。
【産業上の利用可能性】
【０００８】    公営競技の馬券等を買い求める際の参考資料として役立つ公営競技専用手帳である。【０００９】    公営競技の馬券等の購入資金の収支のバランスが一目でわかることで、購入時の自己管理ができる公営競技専用手帳。
【図面の簡単な説明】
【００１０】
【図１】  立体図
【図２】  展開図
【図３】  平面図
【符号の説明】
【００１１】    （Ａ）  手帳の中身とする用紙
（Ｂ）  表紙
（Ｃ）  項目別に記入できる枠
【図１】
0003155032.tif 000003
【図２】
0003155032.tif 000004
【図３】
0003155032.tif 000005
(57)【要約】      （修正有）【課題】持ち運ぶときはコンパクトで、小物収納にも便利で、多目的に使用できるイスを提供する。【解決手段】側面部分４面は硬い素材で、２面は内側にたためる構造である。下部分は布と固定板、上からはフタをかぶせて固定される。【選択図】図２
0003155033.tif 000002
【実用新案登録請求の範囲】
【請求項１】
箱型状態の携帯用組み立て式イスで持ち運びにはたたんで、使用時にはイスとして使用するときは組み立てる、使用しないときには、中の空洞部分を収納ケースとしても利用できる、側面部分４面は硬い素材で２面は内側にたためる構造、下部分は布と固定板、上からはフタをかぶせた状態で固定される、座った状態では強度のある携帯用箱型座イス。
【考案の詳細な説明】
【技術分野】
【０００１】本考案は携帯に便利な腰をかけるイス。
【背景技術】
【０００２】従来のイスは固定式か組み立て式ではＸ型が存在していた。
【考案の開示】
【問題を解決する課題】
【０００３】本考案の解決課題は、箱型状態を組み立て式にしたことにあるが、硬い素材での４側面の２箇所を内側にたためるようにして下部分は布でさらに底板で固定、折りたたみ固い素材の蓋を上からかぶせて固定して頑丈なイスを提供することにある。
【問題を解決する手段】
【０００４】上記課題を解決する為に、請求項１記載の考案に係わるイスは、硬い素材を使用した４箇所ある側面の２面部分が内側にたためる構造を特徴とする、全体をたたむとコンパクトな平面の四角の状態で持ち運びに便利な状態になる
【考案の効果】
【０００５】持ち運びにはたたんでコンパクトに、使用するときは箱型の状態でイスとして、箱の中は空洞なので小物収納にも便利、多目的に使用できるイスを提供する
【図面の簡単な説明】
【０００６】
【図１】箱型イスの組み上がり
【図２】箱型イスの組み上がり、携帯用にたたんだ状態
【図３】空洞部分に物が入った状態
【図４】組みあがり箱のイスとして使用している状態
【図５】小さい箱のイスは座イスに使用出来る
【考案を実施するための形態】
【０００７】本考案の解決課題は、箱型状態を組み立て式にしたことにあるが、４側面の２箇所を内側にたためるようにして下部分は布と底板で固定、折りたたみ蓋を上からかぶせて固定して頑丈なイスを提供することにある。
【考案を実施するための手段】
【０００８】上記課題を解決する為に、請求項１記載の考案に係わる箱型イスは、４箇所ある側面の２面部分が内側にたためる構造を特徴とする、蓋部分も折りたたみ全体をたたむとコンパクトな平面の四角の状態で持ち運びに便利な状態になる
【産業上の利用可能性】
【０００９】持ち運びにはたたんでコンパクトに、使用するときは箱型状態でイスとして、箱型の状態では中が空洞なので小物収納にも便利、多目的に使用できるイスを提供する
【符号の説明】
【００１０】
【図１】
0003155033.tif 000003
【図２】
0003155033.tif 000004
【図３】
0003155033.tif 000005
【図４】
0003155033.tif 000006
【図５】
0003155033.tif 000007
(57)【要約】      （修正有）【課題】名刺を目に付きやすい状態に、容易に安定して、取り付けることができるようにした封筒を提供する。【解決手段】封筒１は紙製で特定企業用のものであって、Ａ４タイプの書類が内部に収納されて用いられる。封筒１の封筒本体５前面３の下部には企業名２等が付され、前面３上部の一方側に長方形の透明フィルム（前面部）４が貼り付けられて名刺収納部６が設けられている。透明フィルム４はその両側縁７ａと下縁７ｂとが連続して貼り付けられるとともに上縁７ｃが開放するように取り付けられ、その上縁７ｃを名刺の出し入れ部とする。【選択図】図１
0003155038.tif 000002
【実用新案登録請求の範囲】
【請求項１】
前面部が透明で内部に納められる名刺の表示内容を外方から確認可能とする名刺収納部が設けられてなることを特徴とする封筒。
【請求項２】
前記名刺収納部が、該封筒の外表面に前記前面部となる透明フィルムが貼り付けられて構成される請求項１記載の封筒。
【請求項３】
前記名刺収納部が、該封筒に形成された宛名表示開口の内面側位置に２枚重ねの透明フィルムよりなる袋体が貼り付けられて構成される請求項１記載の封筒。
【考案の詳細な説明】
【技術分野】
【０００１】  この考案は、封筒の改良に関する。
【背景技術】
【０００２】  企業の展示会や営業セールス訪問においては、見学者や顧客に対してパンフレット等を封筒内に納めて提供するが、その際にはその現場にいる担当者の名刺を封筒とともに渡す場合が多い。
【考案の開示】
【考案が解決しようとする課題】
【０００３】  上記の名刺は目に付きやすいように、例えば、封筒の上部等にクリップで挟むようにして取り付けられるが、そのように取り付けられた場合には外れて紛失してしまう恐れがある。また、封筒の一部にホッチキスにより取り付けられる場合があるが、その場合には名刺の取り外しに手間がかかり、かつ、取り外した跡が名刺に残り見苦しくなる問題がある。【０００４】  この考案では、封筒に名刺を目に付きやすい状態に容易に安定して取り付けることができるようにすることを目的とする。
【課題を解決するための手段】
【０００５】  この考案では、前面部が透明で内部に納められる名刺の表示内容を外方から確認可能とする名刺収納部が設けられてなることを特徴とする封筒を提供する。【０００６】  この考案の構成によれば、名刺は名刺収納部内に透明である前面部を通してその表示内容見えるように納められ、これにより、名刺はその表示内容が見える状態に容易に安定して封筒に取り付けられる。【０００７】  名刺収納部は適宜の形態によって設けることができ、例えば、封筒本体の外表面に前面部となる透明フィルムが貼り付けられて構成される。また、封筒に形成された宛名表示開口の内面側位置に２枚重ねの透明フィルムよりなる袋体が貼り付けられて構成され、この構成によれば、宛名表示開口を持つタイプの封筒において無駄のない構成において名刺を表示可能に収納できる。
【考案の効果】
【０００８】  この考案によれば、封筒に名刺を目に付きやすい状態に容易に安定して取り付けることができるようになり、これにより、展示会や営業セールス訪問において便利に使用できる封筒が得られる。
【考案を実施するための形態】
【０００９】  図１はこの考案の封筒の実施形態の斜視図である。封筒１は紙製で特定企業用のものであって、Ａ４タイプの書類が内部に収納されて用いられる。封筒１の封筒本体５前面３の下部には企業名２等が付され、前面３上部の一方側に長方形の透明フィルム（前面部）４が貼り付けられて名刺収納部６が設けられている。透明フィルム４はその両側縁７ａと下縁７ｂとが連続して貼り付けられるとともに上縁７ｃが開放するように取り付けられ、その上縁７ｃが名刺の出し入れ部とされている。
【００１０】  図２、図３はその使用状態を示す。封筒１が企業の展示会等において内部にカタログ等が納められて見学者に提供される場合、上記名刺収納部６に担当者の名刺Ｍを納めるように用いられる。名刺Ｍは名刺収納部６内に透明フィルム４を通して表側の担当者名が見えるように納められる。このようにして、名刺Ｍは担当者名が見える状態に容易に安定して封筒１に取り付けられる。
【００１１】  図４はこの考案の封筒の他の実施形態の要部拡大断面図である。封筒１は紙製で特定企業用のものであって、その基本形態は上記実施形態のものと同様である。この実施形態の封筒１は封筒本体５の前面３上部の一方側に宛名表示開口９を備え、その宛名表示開口９部分の内側に名刺収納部６が設けられている。名刺収納部６は、図５に示す上部が開いた２枚重ねの透明フィルム１２よりなる袋体１０が、その前面側全周縁において宛名表示開口９の内周全縁に沿うように貼り付けられて形成されている。名刺Ｍが名刺収納部６内に収められると、封筒１の前面において名刺Ｍの表示内容が名刺収納部６の前面側の透明フィルム１２を通して見ることができ、このようにして、名刺Ｍは担当者名が見える状態に容易に安定して封筒１に取り付けられる。
【００１２】  上記他の実施形態の封筒１は、名刺収納部６内に名刺Ｍが納められない状態として通常の郵送に用いられる。その際には宛名表示開口９において、透明フィルム１２よりなる名刺収納部６を通して内部の郵送書類に記された宛名が表示される。この実施形態においては、宛名表示開口９を持つタイプの封筒１において無駄のない構成において名刺Ｍを表示可能に収納できるようにしている。
【図面の簡単な説明】
【００１３】
【図１】  この考案の封筒の実施形態の斜視図
【図２】  この考案の封筒の実施形態の使用状態の斜視図
【図３】  この考案の封筒の実施形態の使用状態の要部拡大断面図
【図４】  この考案の封筒の他の実施形態の使用状態の要部拡大断面図
【図５】  この考案の封筒の他の実施形態に用いる袋体の斜視図
【符号の説明】
【００１４】１      封筒
４      透明フィルム（前面部）
５      封筒本体
６      名刺収納部
Ｍ      名刺
【図１】
0003155038.tif 000003
【図２】
0003155038.tif 000004
【図３】
0003155038.tif 000005
【図４】
0003155038.tif 000006
【図５】
0003155038.tif 000007
(57)【要約】      （修正有）【課題】２つ折り可能で、折りたたみ時にピタッと閉じられるファイルを提供する。【解決手段】書類整理収納用器具１と書類整理収納用ポケット２とは、２つ折りした際に互いに干渉しない位置に配置することにより、ファイル本体４を２つ折りした際に互いに干渉しないため、ぴったりと閉じることができ、書類の整理収納性を向上させることができる。【選択図】図１
0003155040.tif 000002
【実用新案登録請求の範囲】
【請求項１】
２つ折り可能であって、その一方内側に書類整理収納用器具を取り付け、もう一方内側に書類整理収納用ポケットを配し、折りたたみ時にそれらが互いに干渉しないようになしたファイル。
【考案の詳細な説明】
【技術分野】
【０００１】  本考案はファイルに係り、さらに詳しくは、２つ折り可能なファイルであって、その一方内側に固定配置した書類整理収納用器具ともう一方内側に配した書類整理収納用ポケットとが、２つ折りした際に互いに干渉しない位置にすることで、書類の整理収納性を向上させたファイル
【背景技術】
【０００２】  従来の２つ折り可能なタイプのファイルは、その折りたたんだ双方の内側に書類整理収納用ポケットを配したものは複数存在するが、その一方内側に書類整理収納用器具を配し、もう一方内側に書類整理収納用ポケットを配した形式のものは少ない。
【先行技術文献】
【特許文献】
【０００３】  実用新案登録第３０７９２８２号
【考案の概要】
【考案が解決しようとする課題】
【０００４】  従来の２つ折り可能なファイルであって、その一方内側に書類整理収納用器具を取り付け、もう一方内側に書類整理収納用ポケットを配したタイプのものは、その書類整理収納用器具と書類整理収納用ポケットとが互いに干渉する位置にあり、書類の整理収納性が悪かった。本考案はこれらの欠点を解決しようとするものである。
【課題を解決するための手段】
【０００５】  本考案の書類整理収納用器具と書類整理収納用ポケットとは、２つ折りした際に互いに干渉しない位置に配置する。
【考案の効果】
【０００６】  これにより、書類整理収納用器具と書類整理収納用ポケットとは、２つ折りした際に互いに干渉しないため、ぴったりと閉じることができ、書類の整理収納性を向上させることができる。
【図面の簡単な説明】
【０００７】
【図１】本考案のファイルの第一実施例を示す、ファイルを２つ折りする前の図である。
【図２】本考案のファイルの第一実施例を示す、ファイルを２つ折りしたときの側面状態を示す図である。
【図３】本考案のファイルの第二実施例を示す、ファイルの背と書類整理収納用ポケットにマチを付けたタイプのもので、ファイルを２つ折りする前の図である。
【図４】本考案のファイルの第二実施例を示す、ファイルを２つ折りしたときの側面状態を示す図である。
【考案を実施するための形態】
【０００８】  書類整理収納用器具と書類整理収納用ポケットとは、２つ折りした際に互いに干渉しない位置にある。
【実施例】
【０００９】  以下、図面に従って本考案の第一実施例を説明する。図１で、ファイル本体４の一方内側に、書類整理収納用器具１を取り付け、もう一方の内側に書類整理収納用ポケット２を設ける。ここでファイル本体４を２つ折りすると、書類整理収納用器具１と書類整理収納用ポケット２とは互いに干渉しない位置にあるため、ファイル本体４はすきまなく閉じることができる。（図２）【００１０】  尚、実施例２は、ファイル本体４の背と書類整理収納用ポケット２にマチを付けてより多くの書類を整理収納することができるタイプを示している。（図３、図４）
【符号の説明】
【００１１】１  書類整理収納用器具
２  書類整理収納用ポケット
３  書類
４  ファイル本体
【図１】
0003155040.tif 000003
【図２】
0003155040.tif 000004
【図３】
0003155040.tif 000005
【図４】
0003155040.tif 000006
(57)【要約】      （修正有）【課題】茶葉健康マットを提供する。【解決手段】上部織物層１２、及び、下部織物層１１を具備し、且つ、上部織物層と下部織物層の間に乾燥茶葉２０を詰め、下部織物層には真空吸引方法により茶葉を収納するための若干の窪み状収容部１１１を予め設け、茶葉２０を各収容部１１１に入れてから上部織物層を該下部織物層の上に敷設し、また、マットレス、布団カバー、掛け布団、枕マット、或いは、座布団として加工する。且つ、通気、吸湿の働きを持たせ、及び、お茶の清々しい香りに包まれる茶葉健康マット構造を得るため、各収容部周縁を縫い合わせる方法、または、溶接方法により上、下部織物層を固定させる。【選択図】図２
0003155077.tif 000002
【実用新案登録請求の範囲】
【請求項１】
茶葉を収納するための若干の呈窪み状収容部を予め設けられた下部織物層と、
前記下部織物層の上に敷設し、前記下部織物層収容部の開口部を遮蔽するための上部織物層、及び、
乾燥茶葉を含み、
前記乾燥茶葉を前記下部織物層の各収容部に入れてから、前記上部織物層を前記下部織物層の上に敷設し、また、前記上部織物層と前記下部織物層を固定させることを特徴とする茶葉健康マット。
【請求項２】
前記下部織物層の収容部は真空吸引方法で成型加工することを特徴とする請求項１に記載する茶葉健康マット。
【請求項３】
前記下部織物層の収容部は少なくとも横向き、或いは、縦向きのいずれかの方向において交互に配列になることを特徴とする請求項１に記載する茶葉健康マット。
【請求項４】
前記下部織物層の各収容部に対応する周縁を縫い合わせる方法により前記上、下部織物層を固定させることを特徴とする請求項１に記載する茶葉健康マット。
【請求項５】
前記下部織物層の各収容部に対応する周縁を溶接する方法により前記上、下部織物層を固定させることを特徴とする請求項１に記載する茶葉健康マット。
【考案の詳細な説明】
【技術分野】
【０００１】
本考案は、充内部に乾燥茶葉を詰めた健康マットに関り、特に、マットレス、布団カバー、掛け布団、枕マット或いは座布団として加工できる茶葉健康マット構造を提供することに関する。
【背景技術】
【０００２】
「睡眠」は人類の寿命にとり極めて重要な影響を及ぼす要因の一つであり、睡眠障害（浅い睡眠或いは失眠）は往々にして体の免疫力が低下、情緒不安定することとなり、同時に高血圧、神経衰弱、脳血管疾患及び心身症などを引き起こしやすく、しかも急死にいたる。
【０００３】
大部分の人は、睡眠時間の長さによって睡眠の良し悪しを評価する。睡眠の良し悪しを決めるのは、時間の長さではなく、睡眠の質である。人体の健康を決定する睡眠は夜の「深い睡眠」であり、人体は深い睡眠に入った時、成長ホルモンが大量に分泌され、免疫細胞、各種傷ついた細胞（特に脳細胞）の修復も行い、消化器系が栄養の吸収を働かせ、また体内の老廃物を排出させる。
【０００４】
人の一生は、三分の一が睡眠にあてられ、睡眠の質もまた人体への健康に対し直接影響すると共に体力回復の重要な要因であるため、睡眠時に使用するマットレス、掛け布団、枕等の寝具は、保温作用の提供として使用される以外に、睡眠の健康問題へ影響を与えるかどうかに注意する必要がある。
【考案の概要】
【考案が解決しようとする課題】
【０００５】
これに鑑み、本考案の主な目的は、マットレス、布団カバー、掛け布団、枕マット或いは座布団等の製品として加工し、また当該製品に通気、吸湿機能を持たせ、及びお茶の清々しい香りのある茶葉健康マット構造を提供することにある。
【課題を解決するための手段】
【０００６】
上記の目的を達成するため、本考案の「茶葉健康マット」は、上部織物層及び下部織物層を具備し、且つ上部織物層と下部織物層の間に乾燥茶葉を詰める。下部織物層には真空吸引方法により茶葉を収納するための若干の窪み状収容部を予め設けられている。茶葉を各収容部に入れてから上部織物層を該下部織物層の上に敷設し、またマットレス、布団カバー、掛け布団、枕マット或いは座布団等の製品として加工し、且つ当該製品に通気、吸湿の働きを持たせ、及びお茶の清々しい香りに包まれる茶葉健康マット構造を得るため、各収容部周縁を縫い合わせる方法または溶接方法により上、下部織物層を固定させる。
【図面の簡単な説明】
【０００７】
【図１】本考案の茶葉健康マット外観構造図。
【図２】本考案の茶葉健康マット構造分解図。
【図３】本考案の茶葉健康マット構造断面図。
【考案を実施するための最良の形態】
【０００８】
貴審査官に本考案の構造構成及び全体的な運用方式を理解してもらうため、添付図面を組み合わせて以下に説明する。
【０００９】
図１乃至図３に示すように、本考案の「茶葉健康マット」には下部織物層１１、上部織物層１２及び乾燥茶葉２０を含む。
【００１０】
該下部織物層１１には茶葉２０を収納するための若干の窪み状収容部１１１が予め設けられ、該若干の窪み状収容部１１１は、真空吸引方法により成型加工でき、且つ単位面積における収容部１１１数量が増え、且つ下部織物層１１の凹溝感を解消して茶葉健康マット全体の使用快適性を向上するため、該若干の窪み状収容部１１１は少なくとも横向き或いは縦向きのいずれかの方向において交互配列する。
【００１１】
該上部織物層１２を該下部織物層１１の上に敷設し、該下部織物層１１の収容部１１１開口部を遮蔽するために用いられる。該乾燥茶葉２０は該下部織物層１１の収容部１１１に詰めることに用いる。実施時、茶葉２０を該下部織物層１１の各収容部１１１に詰めてから、該上部織物層１２を該下部織物層１１の上に敷設し、また該下部織物層１１の各収容部１１１に対応する周縁を縫い合わせる方法または溶接方法により上、下部織物層１２、１１を固定させる。
【００１２】
これにより、内部に茶葉を詰め、またマットレス、布団カバー、掛け布団、枕マット或いは座布団等の製品として加工できる茶葉健康マット構造を得ることができる。茶葉健康マット全体の内部は茶葉からなる隙間により、通気性が抜群となり、冬暖夏涼だけではなく、更に吸湿して涼しくなる長所を持つ。特に、茶葉が保有する弾性は、更に人体へ適度なマッサージの働きを発生し、人体の血行を良くする効果がある。これに加え茶葉自体から時に放出される清々しい香りは、入眠を助ける働きがあるだけではなく、更に脳を活性化させる働きを持つ。
【００１３】
上記のように、本考案は好ましく実現可能な茶葉健康マット構造を提供するので、法に則って実用新案登録を出願する。以上の実施説明及び図面に示すのは本考案の好ましい実施例であるが、本考案は前述した実施例に限定されることなく、本考案の構造、装置、特徴などと類似、同一するものをなし得ることは本考案の実用新案登録請求の範囲内に含めるものであるのが勿論である。
【符号の説明】
【００１４】
１１    下部織物層
１１１  収容部
１２    上部織物層
２０    茶葉
【図１】
0003155077.tif 000003
【図２】
0003155077.tif 000004
【図３】
0003155077.tif 000005